(57)【要約】      （修正有）【課題】状況（イベント）に応じた生体データの測定の支援により状況別の生体データを取得する技術を提供する。【解決手段】情報処理装置は、スケジュールデータＭに基づき生体データの測定に関する支援信号を出力する支援信号出力部１０３２と、支援信号の出力に基づいて取得される生体データとスケジュールデータに含まれるイベントとを関連付けた生体関連データを管理する生体関連データ管理部１０３４と、生体関連データを出力する生体関連データ出力部１０３５とを備える。【選択図】図１
2019115505.tif 000002
【特許請求の範囲】
【請求項１】
スケジュールデータに基づき生体データの測定に関する支援信号を出力する支援信号出力部と、
前記支援信号の出力に基づいて取得される生体データと前記スケジュールデータに含まれるイベントとを関連付けた生体関連データを管理する生体関連データ管理部と、
前記生体関連データを出力する生体関連データ出力部と、
を備える情報処理装置。
【請求項２】
前記生体関連データ管理部は、前記イベントの分類別の生体データを含む前記生体関連データを管理する請求項１に記載の情報処理装置。
【請求項３】
前記生体関連データ管理部は、前記イベントの分類別の生体データの傾向を表す情報を含む前記生体関連データを管理する請求項２に記載の情報処理装置。
【請求項４】
前記支援信号は、生体データの測定を指示する測定トリガー信号を含む請求項１乃至３の何れか一つに記載の情報処理装置。
【請求項５】
前記測定トリガー信号に基づき生体データを測定する測定部を、さらに備える請求項４に記載の情報処理装置。
【請求項６】
前記支援信号は、前記イベントに基づく生体データの測定を案内する測定案内信号を含む請求項１乃至５の何れか一つに記載の情報処理装置。
【請求項７】
前記支援信号出力部は、前記支援信号として、前記イベントに基づく生体データの測定を案内する測定案内信号を案内出力部へ出力し、所定時間経過後に生体データの測定を指示する測定トリガー信号を測定部へ出力する請求項１に記載の情報処理装置。
【請求項８】
前記測定案内信号に基づき生体データの測定を案内する情報を出力する案内出力部を、さらに備える請求項６に記載の情報処理装置。
【請求項９】
スケジュールデータに基づき生体データの測定に関する支援信号を出力する支援信号出力過程と、
前記支援信号の出力に基づいて取得される生体データと前記スケジュールデータに含まれるイベントとを関連付けた生体関連データを管理する生体関連データ管理過程と、
前記生体関連データを出力する生体関連データ出力過程と、
を備える情報処理方法。
【請求項１０】
請求項１乃至８の何れか一つに記載の情報処理装置が備える各部としてコンピュータを機能させる情報処理プログラム。
【発明の詳細な説明】
【技術分野】
【０００１】
この発明は、情報処理装置、情報処理方法、及び情報処理プログラムに関する。
【背景技術】
【０００２】
近年、どこでも手軽に血圧データ等の生体情報を測定することができるウェアラブル型の生体情報測定装置の開発が進められている。特許文献１には、操作入力に応じて血圧データの測定を開始するウェアラブル血圧計が開示されている。
【０００３】
このようなウェアラブル血圧計により、様々な状況において手軽に血圧データを測定することができる。例えば、自宅や職場など様々な場所において血圧データを測定し記録すること、及び外出先を含め様々な時間において血圧データを測定し記録することができる。これら様々な状況で測定された血圧データが健康管理などに利用されている。
【先行技術文献】
【特許文献】
【０００４】
【特許文献１】特開２０１７−０２３５４６号公報
【発明の概要】
【発明が解決しようとする課題】
【０００５】
多くの人は、状況に応じて、ストレスを感じたり、リラックスしたりすることある。例えば、会議ではストレスを感じたり、自宅ではリラックスしたりすることがある。また、ある会議ではストレスを感じたり、別の会議ではストレスを感じなかったりすることもある。これらの状況が血圧変動の一因になることが知られている。血圧変動が生じやすい状況で血圧データを測定することができれば、血圧変動の傾向等を知ることができる。健康管理上、このような血圧変動を捉えたいという要望がある。
【０００６】
一般的に、血圧データの測定のタイミングはユーザの判断に任せられているため、ユーザが血圧データの測定のタイミングを選択することにより、状況に応じた血圧データの測定が可能となる。しかしながら、このようなタイミングの選択はユーザの負担になるだけでなくタイミングの選択を忘れることも懸念される。このため、状況（イベント）に応じた血圧データ等の生体データの測定の支援により状況別の生体データを取得する技術が望まれている。
【０００７】
本発明は、一側面では、このような実情を鑑みてなされたものであり、その目的は、状況（イベント）に応じた生体データの測定の支援により状況別の生体データを取得する技術を提供することである。
【課題を解決するための手段】
【０００８】
本発明の第１の態様の情報処理装置は、スケジュールデータに基づき生体データの測定に関する支援信号を出力する支援信号出力部と、前記支援信号の出力に基づいて取得される生体データと前記スケジュールデータに含まれるイベントとを関連付けた生体関連データを管理する生体関連データ管理部と、前記生体関連データを出力する生体関連データ出力部とを備える。
この第１の態様の情報処理装置によれば、スケジュールデータに基づき生体データの測定に関する支援信号を出力することにより、スケジュールデータに含まれるイベントに応じた生体データの測定を支援することができる。これにより、イベントに応じた生体データの測定の漏れを軽減することができる。また、支援信号の出力に基づいて取得される生体データとイベントとを関連付けた生体関連データの出力により、イベント別の生体データを提供することができる。これにより、イベントに応じた生体データを通知することができる。つまり、被測定者等は、どのようなイベントでどのような生体データが測定されたかを簡単に知ることができる。
【０００９】
本発明の第２の態様の情報処理装置では、第１の態様に加えて、さらに、前記生体関連データ管理部は、前記イベントの分類別の生体データを含む前記生体関連データを管理する。
この第２の態様の情報処理装置によれば、第１の態様に加えて、さらに、イベントの分類別の生体データを含む生体関連データの出力により、イベントの分類別の生体データを提供することができる。これにより、イベントの分類に応じた生体データを通知することができる。つまり、被測定者等は、どのようなイベントの分類でどのような生体データが測定されたかを簡単に知ることができる。
【００１０】
本発明の第３の態様の情報処理装置では、第２の態様に加えて、さらに、前記生体関連データ管理部は、前記イベントの分類別の生体データの傾向を表す情報を含む前記生体関連データを管理する。
この第３の態様の情報処理装置によれば、第２の態様に加えて、さらに、イベントの分類別の生体データの傾向を表す情報を含む生体関連データの出力により、イベントの分類別の生体データの傾向を表す情報を提供することができる。これにより、イベントの分類に応じた生体データの傾向を表す情報を通知することができる。つまり、被測定者等は、どのようなイベントの分類でどのような生体データの傾向があるのかを簡単に知ることができる。
【００１１】
本発明の第４の態様の情報処理装置では、第１乃至３の何れか一つの態様に加えて、さらに、前記支援信号は、生体データの測定を指示する測定トリガー信号を含む。
この第４の態様の情報処理装置によれば、第１乃至３の何れか一つの態様に加えて、さらに、スケジュールデータに基づく支援信号が、生体データの測定を指示する測定トリガー信号を含むことにより、イベントに応じて生体データを測定させることができる。
【００１２】
本発明の第５の態様の情報処理装置は、第４の態様に加えて、さらに、前記測定トリガー信号に基づき生体データを測定する測定部を備える。
この第５の態様の情報処理装置によれば、第４の態様に加えて、さらに、測定トリガー信号により、イベントに応じて生体データを測定することができる。これにより、イベントに応じた生体データをより確実に取得することができ、イベント別の生体データの分析等の精度向上に貢献できる。
【００１３】
本発明の第６の態様の情報処理装置では、第１乃至５の何れか一つの態様に加えて、さらに、前記支援信号は、前記イベントに基づく生体データの測定を案内する測定案内信号を含む。
この第６の態様の情報処理装置によれば、第１乃至５の何れか一つの態様に加えて、さらに、スケジュールデータに基づく支援信号が、生体データの測定を案内する測定案内信号を含むことにより、スケジュールデータに含まれるイベントに応じた生体データの測定を事前に案内させることができる。
【００１４】
本発明の第７の態様の情報処理装置は、第１の態様に加えて、さらに、前記支援信号出力部は、前記支援信号として、前記イベントに基づく生体データの測定を案内する測定案内信号を案内出力部へ出力し、所定時間経過後に生体データの測定を指示する測定トリガー信号を測定部へ出力する。
この第７の態様の情報処理装置によれば、第１の態様に加えて、さらに、測定案内信号により、イベントに応じた生体データの測定を案内する情報を出力することができ、所定時間経過後に測定トリガー信号により、イベントに応じた生体データの測定を開始するｋとができる。事前に生体データの測定を案内することにより、生体データの測定による被測定者（ユーザ）の動揺を軽減することができる。突然の生体データの測定が被測定者に動揺を与えることもあり、このような場合には生体データの測定精度が低下するおそれがあるが、このような案内の出力により、生体データの測定精度の低下を防止することができる。
【００１５】
本発明の第８の態様の情報処理装置は、第７の態様に加えて、さらに、前記測定案内信号に基づき生体データの測定を案内する情報を出力する案内出力部を備える。
この第８の態様の情報処理装置によれば、第７の態様に加えて、さらに、測定案内信号により、イベントに応じた生体データの測定を案内する情報を出力することができ、イベントに応じた生体データの測定による被測定者（ユーザ）の動揺を軽減することができる。突然の生体データの測定が被測定者に動揺を与えることもあり、このような場合には生体データの測定精度が低下するおそれがあるが、このような案内の出力により、生体データの測定精度の低下を防止することができる。
【００１６】
本発明の第９の態様の情報処理方法は、スケジュールデータに基づき生体データの測定に関する支援信号を出力する支援信号出力過程と、前記支援信号の出力に基づいて取得される生体データと前記スケジュールデータに含まれるイベントとを関連付けた生体関連データを管理する生体関連データ管理過程と、前記生体関連データを出力する生体関連データ出力過程とを備える。
この第９の態様の情報処理方法によれば、第１の態様と同様の効果を得ることができる。
【００１７】
本発明の第１０の情報処理プログラムは、第１乃至第８の何れか一つの態様の情報処理装置が備える各部としてコンピュータを機能させる。
この第１０の態様の情報処理プログラムによれば、第１乃至第８の何れか一つの態様と同様の効果を得ることができる。
【発明の効果】
【００１８】
本発明によれば、状況（イベント）に応じた生体データの測定の支援により状況別の生体データを取得する技術を提供することができる。
【図面の簡単な説明】
【００１９】
【図１】本実施形態に係る情報処理システムの適用例を模式的に示す図。
【図２】本実施形態に係る情報処理装置及び情報通信装置を含む情報処理システムを例示する概念図。
【図３】本実施形態に係る情報処理装置の概略構成を示す外観図の一例を示す図。
【図４】本実施形態に係る情報処理装置のハードウェア構成の一例を模式的に示す図。
【図５】本実施形態に係る情報処理装置の装着状態における被測定部位である左手首に垂直な断面を示す図。
【図６】本実施形態に係る情報処理装置のソフトウェア構成の一例を模式的に示す図。
【図７】本実施形態に係る生体関連データの第一例を示す図。
【図８】本実施形態に係る生体関連データの第二例を示す図。
【図９】本実施形態に係る情報通信装置のハードウェア構成の一例を模式的に示す図。
【図１０】本実施形態に係る情報通信装置のソフトウェア構成の一例を模式的に示す図。
【図１１】実施形態に係る情報処理装置によるイベント別の生体データの出力処理動作の一例を示すフローチャート。
【図１２】実施形態に係る情報処理装置によるイベントの分類別の生体データの傾向の分析動作の一例を示すフローチャート。
【発明を実施するための形態】
【００２０】
以下、本発明の一側面に係る実施の形態（以下、「本実施形態」とも表記する）を、図面に基づいて説明する。ただし、以下で説明する本実施形態は、あらゆる点において本発明の例示に過ぎない。本発明の範囲を逸脱することなく種々の改良や変形を行うことができることは言うまでもない。つまり、本発明の実施にあたって、実施形態に応じた具体的構成が適宜採用されてもよい。なお、本実施形態において登場する信号などを自然言語により説明しているが、より具体的には、コンピュータが認識可能な疑似言語、コマンド、パラメータ、マシン語等で指定される。
【００２１】
なお、以降、説明済みの要素と同一または類似の要素には同一または類似の符号を付し、重複する説明については基本的に省略する。
§１  適用例
まず、図１を用いて、本発明の一適用例について説明する。図１は、本実施形態に係る情報処理システムの適用例を模式的に示す図である。図１に示されるとおり、情報処理システムは、情報処理装置１及び情報通信装置Ｍを備える。
【００２２】
情報処理装置１は、血圧データ、体温データ、血糖データ、心拍数、呼吸数、及び経皮的動脈血酸素飽和度等の少なくとも一つを含む生体データ（以下、「生体データ」又は「血圧データ等を含む生体データ」とも表記する）を測定する測定部を備え、測定部により測定された生体データを記憶したり、表示したり、外部へ送信したりする。また、情報通信装置Ｍは、スマートフォン、タブレットなどのモバイル情報端末である。例えば、情報通信装置Ｍは、スケジュール管理アプリケーションプログラムを記憶し、スケジュール管理アプリケーションプログラムの実行により、ユーザからのスケジュールの入力操作に対応してスケジュールデータを生成し、生成されたスケジュールデータを記憶したり、表示したり、外部へ送信したりする。
【００２３】
例えば、スケジュールデータは、複数のイベントを含む。例えば、イベントは、開始日時、終了日時、属性、及び名称等のイベント情報を含む。なお、スケジュールデータに含まれるイベントは、イベント識別情報を含んでも良い。
【００２４】
情報処理装置１は、少なくとも、スケジュールデータ取得部１０３１と、スケジュールデータ管理部１０３２と、測定部１０３３と、生体関連データ管理部１０３４と、生体関連データ入出力部１０３５とを含む。
【００２５】
スケジュールデータ取得部１０３１は、情報通信装置Ｍから送信されるスケジュールデータを取得する。
【００２６】
スケジュールデータ管理部１０３２は、スケジュールデータに含まれるイベントを検出し、イベントに含まれる開始日時、終了日時、属性、及び名称等のイベント情報のうちの少なくとも一つに基づき、イベントを複数に分類し、各イベントに対応付けて分類情報を生成する。また、スケジュールデータ管理部１０３２は、イベント情報に含まれる開始日時（イベントの発生）に基づき血圧データ等を含む生体データの測定に関する支援信号を出力し、また、検出したイベント（つまり生体データの測定に係るイベント）を出力する。或いは、スケジュールデータが、イベント情報に含まれる開始日時に対応するデータ測定タイミングを含み、スケジュールデータ管理部１０３２は、データ測定タイミングを検出し、データ測定タイミングに基づき支援信号を出力するようにしてもよい。例えば、支援信号は、血圧データ等を含む生体データの測定（開始）を指示する測定トリガー信号を含む。また、支援信号は、イベントに基づく血圧データ等を含む生体データの測定を案内する測定案内信号を含んでも良い。例えば、測定案内信号は、生体データの測定を案内する情報である。測定案内信号については後に詳しく説明する。このように、スケジュールデータ管理部１０３２は、支援信号出力部として機能する。
【００２７】
測定部１０３３は、スケジュールデータ管理部１０３２から出力される支援信号を受けて、支援信号に含まれる測定トリガー信号に基づき生体データの測定を開始し、生体データを取得し、取得した生体データを出力する。
【００２８】
生体関連データ管理部１０３４は、測定部１０３３から出力される生体データ、及びスケジュールデータ管理部１０３２から出力されるイベントを受けて、生体データとイベントとを関連付けた生体関連データを管理する。また、生体関連データ管理部１０３４は、イベントの分類別に生体データを分類し、イベントの分類別の生体データを含む生体関連データを管理するようにしてもよい。さらに、生体関連データ管理部１０３４は、イベントの分類別の生体データを解析し、イベントの分類別の生体データの傾向を表す情報を含む生体関連データを管理するようにしてもよい。
【００２９】
生体関連データ入出力部１０３５は、生体関連データ管理部１０３４から出力される生体関連データを受けて、生体関連データを記憶部へ出力したり、表示部へ出力したりする。このように、生体関連データ入出力部１０３５は、生体関連データ出力部として機能する。
【００３０】
上記の通り、情報処理装置１は、スケジュールデータに含まれるイベントに基づく生体データの測定に関する支援信号の出力により、イベントの開始日時などの状況に応じた生体データの測定を支援することができる。これにより、イベントに応じた生体データの測定の漏れを軽減することができる。また、支援信号の出力に基づき取得される生体データとイベントとを関連付けた生体関連データの出力により、イベント別の生体データを提供することができる。これにより、イベントに応じた生体データを通知することができる。つまり、被測定者等は、どのようなイベントでどのような生体データが測定されたかを簡単に知ることができる。
【００３１】
§２  構成例  
＜情報処理システム＞
図２を用いて、本実施形態に係る情報処理システムの一例について説明する。図２は、本実施形態に係る情報処理装置１及び情報通信装置Ｍを含む情報処理システムを例示する概念図である。
【００３２】
情報処理装置１は、腕時計型ウェアラブルデバイスであり、Ｂｌｕｅｔｏｏｔｈ（登録商標）、移動通信（３Ｇ、４Ｇなど）、及びＷＬＡＮなどの無線通信の可能な装置である。また、情報処理装置１は、生体データを測定する測定部としての測定機能を備える。
情報通信装置Ｍは、スマートフォン、タブレットなどのモバイル情報端末であり、Ｂｌｕｅｔｏｏｔｈ、移動通信（３Ｇ、４Ｇなど）、及びＷＬＡＮなどの無線通信の可能な装置である。
サーバＳは、多数のユーザの生体データ等を管理するサーバである。例えば、サーバＳは、ＷＬＡＮなどの無線通信の可能な装置である。
【００３３】
例えば、情報通信装置Ｍは、ユーザからのスケジュールデータの入力操作に応じてスケジュールデータを生成し、スケジュールデータを情報処理装置１へ送信する、又はスケジュールデータをネットワークＮＷ及びサーバＳを介して情報処理装置１へ送信する。情報処理装置１は、情報通信装置Ｍ又はサーバＳから送信されるスケジュールデータを受信し、スケジュールデータに含まれるイベントの発生に基づき血圧データ等を含む生体データを測定し、イベント及び生体データを関連付けた生体関連データを管理する。また、情報処理装置１は、イベントの分類別に生体データを分類し、イベントの分類別の生体データを含む生体関連データを出力するようにしてもよい。さらに、情報処理装置１は、イベントの分類別の生体データを解析し、イベントの分類別の生体データの傾向を表す情報を含む生体関連データを出力するようにしてもよい。情報処理装置１は、サーバＳに対して、ユーザの識別情報と共に生体関連データを送信する。サーバＳは、多数の情報処理装置１からの（多数のユーザからの）生体関連データ等を管理する。
【００３４】
＜情報処理装置＞  
［ハードウェア構成］  
次に、図３を用いて、本実施形態に係る情報処理装置１の外観の一例について説明する。図３は、本実施形態に係る情報処理装置１の概略構成を示す外観図の一例を示す図である。
図３に示されるとおり、情報処理装置１は、腕時計型ウェアラブルデバイスである。情報処理装置１は、各種の生体データを測定する測定部としての測定機能を備え、さらに種々の情報処理機能を備えている。情報処理機能には、例えば、活動量測定機能、歩数計測機能、睡眠状態計測機能、及び、環境（温度・湿度）計測機能が含まれる。情報処理装置１は、例えば、被測定者による血圧データ等を含む生体データの測定の開始指示の入力操作、または情報処理装置１が自律的に発生する測定トリガー信号に基づいて、血圧データ等を含む生体データの測定を開始するタイプの血圧計等の生体データ測定装置である。以下の説明では、情報処理装置１による生体データに含まれる血圧データの測定を中心に説明する。
情報処理装置１は、本体１０と、ベルト２０と、カフ構造体３０とを備えている。
【００３５】
本体１０の構成について説明する。
本体１０は、情報処理装置１の制御系の要素などの複数の要素を搭載可能に構成されている。
本体１０は、ケース１０Ａと、ガラス１０Ｂと、裏蓋１０Ｃとを備えている。
ケース１０Ａは、例えば、略短円筒状である。ケース１０Ａは、その側面の２カ所それぞれに、ベルト２０を取り付けるための１対の突起状のラグを備えている。
ガラス１０Ｂは、ケース１０Ａの上部に取り付けられている。ガラス１０Ｂは、例えば、円形状である。
裏蓋１０Ｃは、ガラス１０Ｂと対向するように、ケース１０Ａの下部に着脱可能に取り付けられる。
【００３６】
本体１０は、表示部１０１と、操作部１０２とを搭載している。
表示部１０１は、種々の情報を表示する。表示部１０１は、本体１０内にあって、ガラス１０Ｂを介して被測定者が視認可能な位置に設けられている。表示部１０１は、例えば、ＬＣＤ（Liquid Crystal Display）である。表示部１０１は、有機ＥＬ（Electro Luminescence）ディスプレイであってもよい。表示部１０１は、種々の情報を表示する機能を備えていればよく、これらに限定されるものではない。表示部１０１は、ＬＥＤ（Light Emitting Diode）を備えていてもよい。
【００３７】
操作部１０２は、情報処理装置１に対する種々の指示を入力するための要素である。操作部１０２は、本体１０の側面に設けられている。操作部１０２は、例えば、１以上のプッシュ式スイッチを備えている。操作部１０２は、感圧式（抵抗式）または近接式（静電容量式）のタッチパネル式スイッチであってもよい。操作部１０２は、情報処理装置１に対する種々の指示を入力する機能を備えていればよく、これらに限定されるものではない。
【００３８】
操作部１０２が備えるスイッチの例について説明する。
操作部１０２は、生体データの測定の開始または停止を指示するための測定スイッチを備えている。また操作部１０２は、表示部１０１の表示画面を予め定められたホーム画面へ戻すためのホームスイッチや、過去の生体データ、活動量などの測定記録を表示部１０１に表示させるための記録呼出スイッチを備えていてもよい。
【００３９】
なお、本体１０は、表示部１０１及び操作部１０２以外の複数の要素を搭載している。本体１０が搭載する複数の要素については後述する。
【００４０】
ベルト２０の構成について説明する。
ベルト２０は、被測定者の被測定部位（例えば、左手首）を取り巻き可能に構成されている。ベルト２０の幅方向をＸ方向とする。ベルト２０が被測定部位を取り巻く方向をＹ方向とする。
ベルト２０は、第１ベルト部２０１と、第２ベルト部２０２と、尾錠２０３と、ベルト保持部２０４とを備えている。
【００４１】
第１ベルト部２０１は、本体１０から一方向片側（図３では、右側）へ延在する帯状である。第１ベルト部２０１のうち本体１０に近い根元部２０１ａは、本体１０の１対のラグに対して、連結棒４０１を介して回動自在に取り付けられている。
【００４２】
第２ベルト部２０２は、本体１０から一方向他側（図３では、左側）へ延在する帯状である。第２ベルト部２０２のうち本体１０に近い根元部２０２ａは、本体１０の一対のラグに対して、連結棒４０２を介して回動自在に取り付けられている。第２ベルト部２０２のうち根元部２０２ａと本体１０から遠い先端部２０２ｂとの間には、複数の小穴２０２ｃが、第２ベルト部２０２の厚さ方向に貫通して形成されている。
【００４３】
尾錠２０３は、第１ベルト部２０１と第２ベルト部２０２とを締結可能に構成されている。尾錠２０３は、第１ベルト部２０１のうち本体１０から遠い先端部２０１ｂに取り付けられている。尾錠２０３は、枠状体２０３Ａと、つく棒２０３Ｂと、連結棒２０３Ｃとを備えている。
枠状体２０３Ａ及びつく棒２０３Ｂは、第１ベルト部２０１の先端部２０１ｂに対して、連結棒２０３Ｃを介して回動自在に取り付けられている。枠状体２０３Ａ及びつく棒２０３Ｂは、例えば、金属材料で構成されている。枠状体２０３Ａ及びつく棒２０３Ｂは、プラスチック材料で構成されていてもよい。第１ベルト部２０１と第２ベルト部２０２との締結時に、第２ベルト部２０２の先端部２０２ｂは、枠状体２０３Ａに通される。つく棒２０３Ｂは、第２ベルト部２０２の複数の小穴２０２ｃのうちのいずれか一つに挿通される。
【００４４】
ベルト保持部２０４は、第１ベルト部２０１のうち根元部２０１ａと先端部２０１ｂとの間に取り付けられている。第１ベルト部２０１と第２ベルト部２０２との締結時に、第２ベルト部２０２の先端部２０２ｂは、ベルト保持部２０４に通される。
【００４５】
カフ構造体３０の構成について説明する。
カフ構造体３０は、血圧データの測定時に被測定部位を圧迫可能に構成されている。
カフ構造体３０は、Ｙ方向に沿って延在する帯状である。カフ構造体３０は、ベルト２０の内周面に対向している。カフ構造体３０の一端３０ａは、本体１０に取り付けられている。カフ構造体３０の他端３０ｂは、自由端である。このため、カフ構造体３０は、ベルト２０の内周面から離間自在である。
カフ構造体３０は、カーラ３０１と、押圧カフ３０２と、背板３０３と、センシングカフ３０４とを備えている。
【００４６】
カーラ３０１は、カフ構造体３０の最外周に配置されている。カーラ３０１は、自然状態では、Ｙ方向に沿って湾曲している。カーラ３０１は、所定の可撓性及び硬さを有する樹脂板である。樹脂板は、例えば、ポリプロピレンで構成されている。
【００４７】
押圧カフ３０２は、カーラ３０１の内周面に沿って配置されている。押圧カフ３０２は、袋状である。押圧カフ３０２には、可撓性チューブ５０１（図２に示す）が取り付けられている。可撓性チューブ５０１は、本体１０側から圧力伝達用の流体（以下、単に「流体」とも称する）を供給し、または、押圧カフ３０２から流体を排出するための要素である。流体は、例えば、空気である。流体が押圧カフ３０２に供給されると、押圧カフ３０２は膨張し、被測定部位を圧迫する。
【００４８】
なお、押圧カフ３０２は、例えば、厚さ方向に積層されている２つの流体袋を含んでいてもよい。各流体袋は、例えば、伸縮可能なポリウレタンシートで構成されている。流体が押圧カフ３０２に供給されると、流体は、各流体袋に流入する。各流体袋が膨張することで、押圧カフ３０２は膨張する。
【００４９】
背板３０３は、押圧カフ３０２の内周面に沿って配置されている。背板３０３は、帯状である。背板３０３は、例えば、樹脂で構成されている。樹脂は、例えば、ポリプロピレンである。背板３０３は、補強板として機能する。このため、背板３０３は、押圧カフ３０２からの押圧力をセンシングカフ３０４の全域に伝えることができる。
背板３０３の内周面及び外周面には、方向Ｘに延びる断面Ｖ字状またはＵ字状の溝が、方向Ｙに関して互いに離間して複数平行に設けられている。背板３０３は屈曲し易いので、背板３０３は、カフ構造体３０が湾曲しようとすることを妨げない。
【００５０】
センシングカフ３０４は、背板３０３の内周面に沿って配置されている。センシングカフ３０４は、袋状である。センシングカフ３０４は、第１のシート３０４Ａ（図３に示す）と、第１のシート３０４Ａに対向する第２のシート３０４Ｂ（図３に示す）とを備えている。第１のシート３０４Ａは、カフ構造体３０の内周面３０ｃに相当する。このため、第１のシート３０４Ａは、被測定部位に接する。第２のシート３０４Ｂは、背板３０３の内周面に対向する。第１のシート３０４Ａ及び第２のシート３０４Ｂは、例えば、伸縮可能なポリウレタンシートである。センシングカフ３０４には、可撓性チューブ５０２（図２に示す）が取り付けられている。可撓性チューブ５０２は、センシングカフ３０４に流体を供給し、または、センシングカフ３０４から流体を排出するための要素である。
【００５１】
次に、本体１０が搭載する複数の要素について説明する。
図４は、本実施形態に係る情報処理装置１のハードウェア構成の一例を模式的に示す図である。
本体１０は、上述の表示部１０１及び操作部１０２に加えて、制御部１０３と、記憶部１０４と、加速度センサ１０５と、温湿度センサ１０６と、気圧センサ１０７と、通信部１０８と、ＧＰＳ（Global Positioning System）受信機１０９、電池１１０と、第１圧力センサ１１１と、第２圧力センサ１１２と、ポンプ駆動回路１１３、ポンプ１１４と、開閉弁１１５とを搭載している。
【００５２】
制御部１０３は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）などを含む。ＣＰＵは、プロセッサの一例である。ＣＰＵは、ＲＯＭ及び記憶部１０４の少なくとも一方に格納されたプログラムの一部又は全部をＲＡＭに展開し、これらプログラムを解釈及び実行する。これにより、制御部１０３は、様々な情報処理、例えば、ソフトウェア構成の項目において説明される機能ブロックの処理を実行可能とする。
【００５３】
また、制御部１０３は、加速度センサ１０５、温湿度センサ１０６、気圧センサ１０７、通信部１０８、ＧＰＳ受信機１０９、第１圧力センサ１１１、及び第２圧力センサ１１２から取得したデータを記憶部１０４へ記憶させる。制御部１０３に実装される各部の構成については後述する。
【００５４】
記憶部１０４は、例えば、ハードディスクドライブ、ソリッドステートドライブなどの補助記憶装置である。例えば、記憶部１０４は、制御部１０３で実行されるプログラムを記憶する。また、記憶部１０４は、情報処理装置１を制御するために用いられる制御データ、及び情報処理装置１の各種機能を設定するための設定データなどを記憶する。また、記憶部１０４は、プログラムが実行されるときのワークメモリなどとして用いられる。
【００５５】
また、記憶部１０４は、生体関連データを記憶する。例えば、生体関連データは、生体データとその生体データを得るための測定トリガー信号を発生したイベントを含む。例えば、生体データに含まれる血圧データは、測定日時及び血圧値（収縮期血圧ＳＢＰ（Systolic Blood Pressure）と拡張期血圧ＤＢＰ（Diastolic Blood Pressure）など）を含む。
【００５６】
加速度センサ１０５は、３軸加速度センサである。加速度センサ１０５は、互いに直交する３方向の加速度を表す加速度情報を制御部１０３へ出力する。加速度情報は、被測定者の動きを表す情報の一例である。制御部１０３は、加速度情報を用いて、被測定者の歩行だけでなく、家事やデスクワークなどの様々な活動における活動量を算出することができる。活動量は、例えば、移動（歩行）距離、消費カロリー、または、脂肪燃焼量などの被測定者の活動に関連する指標である。制御部１０３は、加速度情報を用いて、被測定者の就寝前、就寝中、及び起床後を推定することもできる。また、制御部１０３は、加速度情報を用いて、被測定者が運動中か否かを推定することもできる。
【００５７】
温湿度センサ１０６は、情報処理装置１の周辺の環境温度及び湿度を計測する。温湿度センサ１０６は、環境温度及び湿度を表す環境データを制御部１０３へ出力する。例えば、気温（気温の変化）は、人間の血圧変動を引き起こし得る要素の１つとして考えられる。このため、環境データは、被測定者の血圧変動の要因となり得る情報である。
【００５８】
気圧センサ１０７は、気圧を検出する。気圧センサ１０７は、気圧情報を制御部１０３へ出力する。制御部１０３は、気圧情報及び加速度情報を用いて、被測定者の歩数、早歩き歩数、及び、階段のぼり歩数などを計測することができる。
【００５９】
通信部１０８は、情報処理装置１をサーバＳ及び情報通信装置Ｍのうちの少なくとも一方と接続するためのインタフェースである。情報通信装置Ｍは、例えば、スマートフォンやタブレット端末などである。例えば、情報通信装置Ｍは、被測定者により所有されているものとする。通信部１０８は、制御部１０３によって制御される。通信部１０８は、ネットワークＮＷを経由して情報をサーバＳへ送信したり、ネットワークＮＷを経由して又は経由せずに情報を情報通信装置Ｍへ送信したりする。また、通信部１０８は、サーバＳ及び情報通信装置Ｍのうちの少なくとも一方からの情報を受信し、制御部１０３へ出力する。通信部１０８による通信は、無線、有線のいずれでもよい。ネットワークＮＷは、例えば、インターネットであるが、これに限定されない。ネットワークＮＷは、病院内ＬＡＮ（Local Area Network）のような他の種類のネットワークであってもよいし、ＵＳＢケーブルなどを用いた１対１の通信であってもよい。通信部１０８は、マイクロＵＳＢコネクタを含んでいてもよい。通信部１０８は、Ｂｌｕｅｔｏｏｔｈなどの近距離無線通信により、情報通信装置Ｍへ情報を送信してもよい。
【００６０】
例えば、通信部１０８は、情報通信装置Ｍから送信されるスケジュールデータを受信する。情報通信装置Ｍが定期的にスケジュールデータを情報処理装置１へ送信してもよいし、通信部１０８が定期的にスケジュールデータを情報処理装置１へ要求してもよい。
【００６１】
ＧＰＳ受信機１０９は、複数のＧＰＳ衛星から送信されるＧＰＳ信号をそれぞれ受信し、受信したＧＰＳ信号を制御部１０３へ出力する。制御部１０３は、上記各ＧＰＳ信号をもとに測距演算を行うことで、情報処理装置１の現在位置、つまり情報処理装置１を装着している被測定者の現在位置を算出する。なお、情報処理装置１は、ＧＰＳ受信機１０９及び制御部１０３による測距演算機能は必ずしも備えていなくてもよい。この場合、情報処理装置１は、情報通信装置Ｍから当該情報通信装置Ｍにより算出された現在位置を示す位置情報を、通信部１０８を介して取得する。情報通信装置Ｍにより算出された位置情報は、情報処理装置１の現在位置に対応する。例えば、情報通信装置Ｍが、ＧＰＳ受信機能を備え、ＧＰＳ受信機能により受信されるＧＰＳ信号から位置情報を算出してもよいし、情報通信装置Ｍが、基地局との通信により位置情報を取得するようにしてもよい。
【００６２】
電池１１０は、例えば、充電可能な２次電池である。電池１１０は、本体１０に搭載されている各要素へ電力を供給する。電池１１０は、例えば、表示部１０１、操作部１０２、制御部１０３、記憶部１０４、加速度センサ１０５、温湿度センサ１０６、気圧センサ１０７、通信部１０８、第１圧力センサ１１１、第２圧力センサ１１２、ポンプ駆動回路１１３、ポンプ１１４、及び、開閉弁１１５へ電力を供給する。
【００６３】
第１圧力センサ１１１は、例えば、ピエゾ抵抗式圧力センサである。第１圧力センサ１１１は、第１の流路を構成する可撓性チューブ５０１及び第１の流路形成部材５０３を介して、押圧カフ３０２内の圧力を検出する。第１圧力センサ１１１は、圧力データを制御部１０３へ出力する。
【００６４】
第２圧力センサ１１２は、例えば、ピエゾ抵抗式圧力センサである。第２圧力センサ１１２は、第２の流路を構成する可撓性チューブ５０２及び第２の流路形成部材５０４を介して、センシングカフ３０４内の圧力を検出する。第２圧力センサ１１２は、圧力データを制御部１０３へ出力する。
【００６５】
ポンプ駆動回路１１３は、制御部１０３からの制御信号に基づいて、ポンプ１１４を駆動する。
【００６６】
ポンプ１１４は、例えば、圧電ポンプである。ポンプ１１４は、第１の流路を介して、押圧カフ３０２に流体流通可能に接続されている。ポンプ１１４は、第１の流路を通して、押圧カフ３０２に流体を供給することができる。なお、ポンプ１１４には、ポンプ１１４のオン／オフに伴って開閉が制御される図示しない排気弁が搭載されている。すなわち、この排気弁は、ポンプ１１４がオンされると閉じて、押圧カフ３０２内に空気を封入するのを助ける。一方、この排気弁は、ポンプ１１４がオフされると開いて、押圧カフ３０２内の空気を第１の流路を通して、大気中へ排出させる。なお、この排気弁は、逆止弁の機能を有し、排出される空気が逆流することはない。
【００６７】
ポンプ１１４は、さらに、第２の流路を介して、センシングカフ３０４に流体流通可能に接続されている。ポンプ１１４は、第２の流路を通して、センシングカフ３０４に流体を供給することができる。
【００６８】
開閉弁１１５は、第２の流路形成部材５０４に介挿されている。開閉弁１１５は、例えば、常開の電磁弁である。開閉弁１１５の開閉（開度）は、制御部１０３からの制御信号に基づいて制御される。開閉弁１１５が開状態にあるとき、ポンプ１１４は、第２の流路を通して、センシングカフ３０４に流体を供給することができる。
【００６９】
次に、情報処理装置１が被測定部位に装着された状態（以下、「装着状態」とも称する）について説明する。
図５は、装着状態における被測定部位である左手首９０に垂直な断面を示す図である。本体１０とベルト２０の図示は省略されている。図５には、左手首９０の橈骨動脈９１、尺骨動脈９２、橈骨９３、尺骨９４、及び、腱９５が示されている。
【００７０】
この装着状態では、カーラ３０１は、左手首９０の外周（Ｚ方向）に沿って延在する。押圧カフ３０２は、カーラ３０１の内周側で、Ｚ方向に沿って延在する。背板３０３は、押圧カフ３０２とセンシングカフ３０４との間に介挿され、Ｚ方向に沿って延在する。センシングカフ３０４は、左手首９０に接し、かつ、左手首９０の動脈通過部分９０ａを横切るようにＺ方向に延在する。ベルト２０、カーラ３０１、押圧カフ３０２、及び、背板３０３は、左手首９０へ向かって押圧力を発生可能な押圧部材として働き、センシングカフ３０４を介して左手首９０を圧迫する。
【００７１】
［ソフトウェア構成］
次に、図６を用いて、本実施形態に係る情報処理装置１のソフトウェア構成の一例を説明する。図６は、情報処理装置１のソフトウェア構成の一例を模式的に示す図である。
図６の制御部１０３は、ＲＯＭ及び記憶部１０４のうちの少なくとも一方に格納されているプログラムの一部又は全部をＲＡＭに展開する。そして、制御部１０３は、このプログラムをＣＰＵにより解釈および実行して、図４に示した各種のハードウェア要素を制御する。これにより、図６に示されるとおり、情報処理装置１は、スケジュールデータ取得部１０３１、スケジュールデータ管理部（支援信号出力部）１０３２、測定部１０３３、生体関連データ管理部１０３４と、生体関連データ入出力部（生体関連データ出力部）１０３５を備えるコンピュータとして機能する。
【００７２】
スケジュールデータ取得部１０３１は、情報通信装置Ｍから送信され通信部１０８で受信されるスケジュールデータを取得し、スケジュールデータをスケジュールデータ管理部１０３２へ出力する。情報通信装置Ｍが定期的にスケジュールデータを情報処理装置１へ送信してもよいし、スケジュールデータ取得部１０３１が定期的にスケジュールデータを情報処理装置１へ要求してもよい。
【００７３】
スケジュールデータ管理部１０３２は、スケジュールデータ取得部１０３１からのスケジュールデータを受けて、スケジュールデータに含まれるイベントを検出し、イベントに含まれる開始日時、終了日時、属性、及び名称等のイベント情報のうちの少なくとも一つに基づき、イベントを複数に分類し、各イベントに対応付けて分類情報を生成する。例えば、イベント情報は、会議や打合せの名称、会議や打合せの種類、会議や打合せの対象者、移動中、及び出張先等の様々な情報を含むことができる。スケジュールデータ管理部１０３２は、テキストマイニング処理により、イベント情報に含まれるテキストデータを分析して、イベントを複数に分類することができる。
【００７４】
また、スケジュールデータ管理部１０３２は、イベント情報に含まれる開始日時（イベントの発生）に基づき生体データの測定に関する支援信号を出力する。例えば、スケジュールデータ管理部１０３２は、イベントの発生とほぼ同時に支援信号を出力してもよいし、イベントの発生から所定時間前（例えば１分前）又は所定時間後（例えば１分後）に支援信号を出力してもよい。例えば、支援信号は、生体データの測定（開始）を指示する測定トリガー信号を含む。また、支援信号は、イベントに基づく生体データの測定を案内する測定案内信号を含んでも良い。例えば、測定案内信号は、生体データの測定を案内する情報（表示データ）である。
【００７５】
例えば、全てのイベントは、イベント毎に固有のイベント識別情報により識別される。例えば、イベント情報がイベント識別情報を含む場合には、スケジュールデータ管理部１０３２は、イベント情報からイベント識別情報を検出し、測定部１０３３に対してイベント識別情報を含む支援信号を出力し、生体関連データ管理部１０３４に対してイベント識別情報及び分類情報を含むイベントを出力する。イベント情報がイベント識別情報を含まない場合には、スケジュールデータ管理部１０３２は、イベントに対するイベント識別情報を生成し、測定部１０３３に対して、生成されたイベント識別情報を含む支援信号を出力し、生体関連データ管理部１０３４に対して、生成されたイベント識別情報及び分類情報を含むイベントを出力する。
【００７６】
測定部１０３３は、支援信号に含まれる測定トリガー信号に基づき生体データの測定を開始し、生体データを取得し、支援信号に含まれるイベント識別情報と取得される生体データとを関連付けて出力する。
【００７７】
生体関連データ管理部１０３４は、測定部１０３３から出力されるイベント識別情報及び生体データ、及びスケジュールデータ管理部１０３２から出力されるイベント識別情報及び分類情報を含むイベントを受けて、イベント識別情報に基づき生体データとイベント（分類情報を含む）とを関連付けた生体関連データを管理する。つまり、生体関連データ管理部１０３４は、同一のイベント識別情報に対応する生体データとイベントとを関連付けた生体関連データを管理し、さらに、生体関連データを生体関連データ入出力部１０３５へ出力する。
【００７８】
また、生体関連データ管理部１０３４は、分類情報に基づき生体データを分類し、イベントの分類別の生体データを含む生体関連データを管理し、この生体関連データを生体関連データ入出力部１０３５へ出力するようにしてもよい。
【００７９】
また、生体関連データ管理部１０３４は、分類情報に基づき生体データを分類し、イベントの分類別の生体データの傾向を分析し、イベントの分類別の生体データの傾向を表す情報を含む生体関連データを生体関連データ入出力部１０３５へ出力するようにしてもよい。
【００８０】
図７は、イベントと分類情報と血圧データを関連付けた生体関連データの一例を示す図である。また、図８は、イベントと分類情報と血圧データを関連付け、且つイベントの分類別に整理された血圧データを含む生体関連データの一例を示す図である。さらに、図８は、イベントの分類別の血圧データの傾向を表す情報を含む生体関連データの一例を示す図でもある。
【００８１】
図７及び図８に示される生体関連データは、イベントＥ１からＥ６を含み、イベントＥ１が分類Ｃ１に分類され、イベントＥ２が分類Ｃ３に分類され、イベントＥ３が分類Ｃ３に分類され、イベントＥ４が分類Ｃ２に分類され、イベントＥ５が分類Ｃ１に分類され、イベントＥ６が分類Ｃ２に分類されるケースを示す。
【００８２】
例えば、生体関連データ管理部１０３４は、全ての血圧データから平均値を算出し、分類Ｃ１の血圧データが、平均値を含む所定の範囲に含まれる場合、又は分類Ｃ１の血圧データのうちの所定の割合の血圧データが所定の範囲に含まれる場合、分類Ｃ１の血圧データから「血圧が安定し、落ち着いてリラックスしている」のように血圧データの傾向を分析する。また、生体関連データ管理部１０３４は、分類Ｃ２の血圧データが、所定の範囲を超える場合、又は分類Ｃ２の血圧データのうちの所定の割合の血圧データが所定の範囲を超える場合、分類Ｃ２の血圧データから「血圧が上昇し、ストレスを感じている」のように血圧データの傾向を分析する。また、生体関連データ管理部１０３４は、分類Ｃ３の血圧データが、所定の範囲を下回る場合、又は分類Ｃ２の血圧データのうち所定の割合の血圧データが所定の範囲を下回る場合、分類Ｃ３の血圧データから「血圧が低く、ベストな状態ではない」のように血圧データの傾向を分析する。例えば、所定の範囲を平均値の±１０％とし、所定の割合を８０％としてもよい。
【００８３】
また、生体関連データ管理部１０３４は、イベントの分類別の生体データの傾向からイベントの分類別のストレス度を判定するようにしてもよい。例えば、分類Ｃ１についてはストレス度が比較的低いと判定し、分類Ｃ２についてはストレス度が比較的高いと判定する。なお、生体関連データ管理部１０３４は、イベント別の生体データから、イベント別のストレスを判定するようにしてもよい。
【００８４】
生体関連データ入出力部１０３５は、生体関連データ管理部１０３４からの生体関連データを受け、生体関連データを記憶部１０４へ出力したり、表示部１０１へ出力したりする。なお、生体関連データ入出力部１０３５は、生体関連データを通信部１０８へ出力してもよい。
【００８５】
例えば、操作部１０２が、生体データの表示を指示する第１の操作入力を受付けた場合、生体関連データ管理部１０３４は、この第１の操作入力に基づき、生体関連データ入出力部１０３５を介して、記憶部１０４から図７に示す生体関連データを読み出して、生体関連データに基づく表示データを生成し、表示データを表示部１０１へ出力する。表示部１０１は、表示データに基づき、図７に示す生体関連データの画像を表示する。
【００８６】
また、操作部１０２が、イベントの分類別の生体データの表示を指示する第２の操作入力を受付けた場合、生体関連データ管理部１０３４は、この第２の操作入力に基づき、記憶部１０４から図８に示すイベントの分類別の生体データを読み出して、イベントの分類別の生体データに基づく表示データを生成し、表示データを表示部１０１へ出力する。表示部１０１は、表示データに基づき、図８に示すイベントの分類別の生体データの画像を表示する。
【００８７】
また、操作部１０２が、イベントの分類別の生体データの傾向分析の表示を指示する第３の操作入力を受付けた場合、生体関連データ管理部１０３４は、この第３の操作入力に基づき、記憶部１０４から図８に示すイベントの分類別の生体データの傾向分析を読み出して、イベントの分類別の生体データの傾向分析に基づく表示データを生成し、表示データを表示部１０１へ出力する。表示部１０１は、表示データに基づき図８に示すイベントの分類別の生体データの傾向分析の画像を表示する。
【００８８】
ここで、支援信号に含まれる測定案内信号に基づく生体データの測定の予告について説明する。上記説明したように、イベントの発生に応じて、測定トリガー信号を含む支援信号が出力され、測定部１０３３による生体データの測定が開始されるが、この生体データの測定を事前に知りたい又はキャンセルしたいことがある。そこで、スケジュールデータ管理部１０３２は、イベントの発生に応じて、測定トリガー信号及び測定案内信号を含む支援信号を出力する。測定部１０３３は、支援信号に含まれる測定トリガー信号に基づき、所定時間経過後（例えば１分経過後）に生体データの測定を開始する。また、表示部１０１は、支援信号に含まれる測定案内信号に基づき、直ちに生体データの測定の案内画像を表示する。この表示により、被測定者（ユーザ）に対して、これから開始される（例えば１分経過後の）、イベントに応じた生体データの測定を事前に案内することができる。或いは、管理部１０３２は、イベントの発生に応じて、支援信号として測定案内信号を出力し、所定時間経過後（例えば１分経過後）に、支援信号として測定トリガー信号を出力するようにしてもよい。これにより、表示部１０１は、測定案内信号に基づき、直ちに生体データの測定の案内画像を表示する。この表示により、被測定者（ユーザ）に対して、これから開始される（例えば１分経過後の）、イベントに応じた生体データの測定を事前に案内することができる。また、測定部１０３３は、測定トリガー信号に基づき、直ちに生体データの測定を開始する。被測定者は、これから開始される、イベントに応じた生体データの測定を知ることができ、イベントに応じた生体データの測定による動揺を軽減することができる。
【００８９】
例えば、この案内を見た被測定者が、生体データの測定をキャンセルしたい場合には、操作部１０２から生体データの測定のキャンセルを指示する操作入力を行う。操作部１０２は、生体データの測定のキャンセルを指示する操作入力を受付けた場合に、一定期間（例えば１０分）の生体データの測定のキャンセルを指示する。測定部１０３３は、一定期間の生体データの測定のキャンセルの指示に基づき、この一定期間において測定トリガー信号を受けても生体データの測定を開始しない。これにより、生体データの測定に相応しくない状況において、被測定者の意志で生体データの測定をキャンセルすることができる。
【００９０】
上記の通り、情報処理装置１は、スケジュールデータに含まれるイベントに基づく生体データの測定に関する支援信号の出力により、状況（イベントの開始日時）に応じた生体データの測定を支援することができる。これにより、イベントに応じた生体データの測定の漏れを軽減することができる。また、支援信号の出力に基づく生体データの測定により取得される生体データとイベントとを関連付けた生体関連データの出力により、イベント別の生体データを提供することができる。これにより、イベントに応じた生体データを通知することができる。つまり、被測定者等は、どのようなイベントでどのような生体データが測定されたかを簡単に知ることができ、また、イベントに応じた生体データを比較することにより、イベント別の生体データの変動等を知ることもできる。
【００９１】
また、情報処理装置１は、イベントの分類別の生体データを含む生体関連データの出力により、イベントの分類別の生体データを提供することができる。これにより、イベントの分類に応じた生体データを通知することができる。つまり、被測定者等は、どのようなイベントの分類でどのような生体データが測定されたかを簡単に知ることができ、また、イベントの分類に応じた生体データを比較することにより、イベントの分類別の生体データの変動等を知ることもできる。
【００９２】
さらに、情報処理装置１は、イベントの分類別の生体データの傾向を表す情報を含む生体関連データの出力により、イベントの分類別の生体データの傾向を表す情報を提供することができる。これにより、イベントの分類に応じた生体データの傾向を表す情報を通知することができる。つまり、被測定者等は、どのようなイベントの分類でどのような生体データの傾向があるのかを簡単に知ることができ、また、イベントの分類に応じた生体データの傾向を比較することにより、イベントの分類別の生体データの傾向の変化を知ることもできる。
【００９３】
＜情報通信装置＞  
［ハードウェア構成］  
次に、図９を用いて、本実施形態に係る情報通信装置Ｍのハードウェア構成の一例について説明する。図９は、情報通信装置Ｍのハードウェア構成の一例を模式的に示す図である。
【００９４】
図９に示されるとおり、情報通信装置Ｍは、制御部Ｍ１１と、記憶部Ｍ１２と、通信インタフェースＭ１３と、入力装置Ｍ１４と、出力装置Ｍ１５と、外部インタフェースＭ１６とが電気的に接続されたコンピュータである。なお、図９では、通信インタフェース及び外部インタフェースをそれぞれ、「通信Ｉ／Ｆ」及び「外部Ｉ／Ｆ」と記載している。
【００９５】
制御部Ｍ１１は、ＣＰＵ、ＲＡＭ、ＲＯＭなどを含む。ＣＰＵは、プロセッサの一例である。ＣＰＵは、ＲＯＭ及び記憶部Ｍ１２のうちの少なくとも一方に格納されたプログラムの一部又は全部をＲＡＭに展開し、これらプログラムを解釈及び実行する。これにより、制御部Ｍ１１は、様々な情報処理、例えば、ソフトウェア構成の項目において説明される機能ブロックの処理を実行可能とする。
【００９６】
記憶部Ｍ１２は、いわゆる補助記憶装置であり、例えば、内蔵または外付けのフラッシュメモリなどの半導体メモリであり得る。記憶部Ｍ１２は、制御部Ｍ１１で実行されるプログラム、制御部Ｍ１１によって使用されるデータなどを記憶する。プログラムは、制御部Ｍ１１を動作させる命令ということもできる。例えば、記憶部Ｍ１２は、スケジュール管理アプリケーションプログラムを記憶する。
【００９７】
通信インタフェースＭ１３は、主に、Ｂｌｕｅｔｏｏｔｈ、移動通信（３Ｇ、４Ｇなど）及びＷＬＡＮなどのための各種無線通信モジュールを含む。なお、通信インタフェースＭ１３は、有線ＬＡＮ（Ｌｏｃａｌ  Ａｒｅａ  Ｎｅｔｗｏｒｋ）モジュールなどの有線通信モジュールをさらに備えていてもよい。
【００９８】
入力装置Ｍ１４は、例えばタッチスクリーンなどのユーザ入力を受け付けるための装置である。
出力装置Ｍ１５は、例えば、ディスプレイ、スピーカなどの出力を行うための装置である。
外部インタフェースＭ１６は、ＵＳＢポート、メモリカードスロットなどであり、外部装置と接続するためのインタフェースである。
【００９９】
なお、情報通信装置Ｍの具体的なハードウェア構成に関して、実施形態に応じて、適宜、構成要素の省略、置換及び追加が可能である。例えば、制御部Ｍ１１は、複数のプロセッサを含んでもよい。情報通信装置Ｍは、提供されるサービス専用に設計された情報処理装置の他、汎用のタブレットＰＣ（Ｐｅｒｓｏｎａｌ  Ｃｏｍｐｕｔｅｒ）等が用いられてもよい。
【０１００】
［ソフトウェア構成］  
次に、図１０を用いて、本実施形態に係る情報通信装置Ｍのソフトウェア構成の一例を説明する。図１０は、情報通信装置Ｍのソフトウェア構成の一例を模式的に示す図である。
【０１０１】
図１０の制御部Ｍ１１は、記憶部Ｍ１２に格納されているプログラムをＲＡＭに展開する。そして、制御部Ｍ１１は、このプログラムをＣＰＵにより解釈および実行して、図９に示した各種のハードウェア要素を制御する。これにより、図１０に示されるとおり、情報通信装置Ｍは、スケジュールデータ管理部Ｍ１１１と、生体関連データ管理部Ｍ１１２とを備えるコンピュータとして機能する。
【０１０２】
スケジュールデータ管理部Ｍ１１１は、記憶部Ｍ１２に記憶されたスケジュール管理アプリケーションプログラムの実行により、ユーザによる入力装置Ｍ１４からのスケジュールの入力操作（プルダウン選択等）に対応してスケジュールデータを生成する。また、スケジュールデータ管理部Ｍ１１１は、生成されたスケジュールデータを管理し、例えば、生成されたスケジュールデータを記憶部１２へ登録する。スケジュール管理アプリケーションプログラムとしては、汎用のプログラムを適用することができる。
【０１０３】
例えば、スケジュールデータは、複数のイベントを含む。例えば、イベントは、開始日時、終了日時、属性、及び名称等のイベント情報を含む。属性は、第１属性及び第２属性を含んでもよい。例えば、第１属性は、職場又はプライベートなどの情報を含み、第２属性は、会議、研修、鑑賞会、又はスポーツなどの情報を含む。例えば、イベントＥ１は、開始日時（2017/8/1/09:00）、終了日時（2017/8/1/10:00）、第１属性（職場）、第２属性（会議）、名称（Ａ部門と会議）を含む。名称に、会議の対象となる部署名又は個人名を含めたり、早朝会議のような特徴情報を含めたりするようにしてもよい。名称を利用して、イベントを分類してもよい。例えば、生体関連データ管理部１０３４は、名称に「Ａ部門と会議」又は「Ａ」が含まれているイベントを分類Ｃ１に分類し、名称に「Ｂさんと会議」又は「Ｂ」が含まれているイベントを分類Ｃ２に分類し、名称に「早朝会議」又は「朝」が含まれているイベントを分類Ｃ３に分類する。
【０１０４】
＜その他＞
本実施形態では、情報処理装置１及び情報通信装置Ｍの各機能がいずれも汎用のＣＰＵによって実現される例について説明している。しかしながら、以上の機能の一部又は全部が、１又は複数の専用のプロセッサにより実現されてもよい。また、情報処理装置１及び情報通信装置Ｍのそれぞれのソフトウェア構成に関して、実施形態に応じて、適宜、機能の省略、置換及び追加が行われてもよい。
【０１０５】
§３  動作例  
＜情報処理装置＞  
次に、図１１を用いて、情報処理装置１によるイベント別の生体データの出力処理動作の例を説明する。図１１は、情報処理装置１によるイベント別の生体データの出力処理動作の一例を示すフローチャートである。なお、以下で説明する処理手順は一例に過ぎず、各処理は可能な限り変更されてよい。また、以下で説明する処理手順について、実施の形態に応じて、適宜、ステップの省略、置換、及び追加が可能である。
【０１０６】
図１１に示されるとおり、情報処理装置１のスケジュールデータ取得部１０３１は、通信部１０８を介して、情報通信装置Ｍから送信されるスケジュールデータを取得する（ステップＳ１０１）。また、スケジュールデータ取得部１０３１は、スケジュールデータをスケジュールデータ管理部１０３２へ出力する。
【０１０７】
スケジュールデータ管理部１０３２は、スケジュールデータ取得部１０３１からのスケジュールデータを受けて、スケジュールデータに含まれるイベントを検出し、イベントに含まれる開始日時に到達したことを検知しなければ（ステップＳ１０２、ＮＯ）支援信号を出力せず、イベントに含まれる開始日時に到達したことを検知すると（ステップＳ１０２、ＹＥＳ）支援信号を出力する（ステップＳ１０３）。なお、スケジュールデータ管理部１０３２は、イベントに含まれる開始日時の所定時間前（例えば１分前）又は所定時間後（例えば１分後）に到達したことを検知して、支援信号を出力するようにしてもよい。また、スケジュールデータ管理部１０３２は、検出したイベントを生体関連データ管理部１０３４へ出力する。
【０１０８】
例えば、表示部１０１は、スケジュールデータ管理部１０３２からの支援信号を受けて、支援信号に含まれる測定案内信号に基づき、生体データの測定の案内（画像）を表す情報を出力する（ステップＳ１０４）。また、測定部１０３３は、スケジュールデータ管理部１０３２からの支援信号を受けて、支援信号に含まれる測定トリガー信号に基づき所定時間経過後に生体データを測定し（ステップＳ１０５）、生体データの測定により得られる生体データを生体関連データ管理部１０３４へ出力する。所定時間経過後に生体データを測定することにより、被測定者に対して、生体データの測定の案内を知り得る期間を提供できる。
【０１０９】
生体関連データ管理部１０３４は、測定部１０３３から出力される生体データ、及びスケジュールデータ管理部１０３２から出力されるイベントを受けて、生体データとイベントとを関連付けた生体関連データを管理する（ステップＳ１０６）。生体関連データ入出力部１０３５は、生体関連データ管理部１０３４からの生体関連データを受けて、生体関連データを出力する（ステップＳ１０７）。
【０１１０】
例えば、生体関連データ入出力部１０３５は、記憶部１０４へ生体関連データを出力し、記憶部１０４は、生体関連データ入出力部１０３５から出力される生体関連データを記憶する。また、生体関連データ入出力部１０３５は、表示部１０１へ生体関連データを出力し、表示部１０１は、生体関連データに基づく画像を表示する。また、生体関連データ入出力部１０３５は、通信部１０８へ生体関連データを出力し、通信部１０８は、生体関連データを指定された送信先へ送信する。例えば、通信部１０８は、情報通信装置Ｍへ生体関連データを送信する。情報通信装置Ｍの通信インタフェースＭ１３は、生体関連データを受信し、出力装置Ｍ１５は、生体関連データに基づく画像を表示する。
【０１１１】
次に、図１２を用いて、情報処理装置１によるイベントの分類別の生体データの傾向の分析動作の例を説明する。図１２は、情報処理装置１によるイベントの分類別の生体データの傾向の分析動作の一例を示すフローチャートである。なお、以下で説明する処理手順は一例に過ぎず、各処理は可能な限り変更されてよい。また、以下で説明する処理手順について、実施の形態に応じて、適宜、ステップの省略、置換、及び追加が可能である。
【０１１２】
図１２に示されるとおり、スケジュールデータ管理部１０３２は、スケジュールデータに含まれるイベントを検出し、イベントに含まれる開始日時、終了日時、属性、及び名称等の情報のうちの少なくとも一つに基づき、イベントを複数に分類し、各イベントに対応付けて分類情報を生成する（ステップＳ２０１）。スケジュールデータ管理部１０３２は、生体関連データ管理部１０３４に対してイベント識別情報及び分類情報を含むイベントを出力する。また、測定部１０３３は、生体関連データ管理部１０３４に対してイベント識別情報と生体データとを関連付けて出力する。
【０１１３】
生体関連データ管理部１０３４は、同一のイベント識別情報に対応する生体データとイベント（分類情報を含む）とを関連付け、イベントの分類別の生体データを含む生体関連データを管理する（ステップＳ２０２）。また、生体関連データ管理部１０３４は、イベントの分類別の生体データの傾向を分析する（ステップＳ２０３）。生体関連データ入出力部１０３５は、イベントの分類別の生体データの傾向を出力する（ステップＳ２０４）。
【０１１４】
例えば、生体関連データ入出力部１０３５は、記憶部１０４へイベントの分類別の生体データの傾向を表す情報を出力し、記憶部１０４は、生体関連データ入出力部１０３５から出力されるイベントの分類別の生体データの傾向を記憶する。また、生体関連データ入出力部１０３５は、表示部１０１へイベントの分類別の生体データの傾向を表す情報を出力し、表示部１０１は、イベントの分類別の生体データの傾向を表す情報に基づく画像を表示する。また、生体関連データ入出力部１０３５は、通信部１０８へイベントの分類別の生体データの傾向を表す情報を出力し、通信部１０８は、イベントの分類別の生体データの傾向を表す情報を指定された送信先へ送信する。例えば、通信部１０８は、情報通信装置Ｍへイベントの分類別の生体データの傾向を表す情報を送信する。情報通信装置Ｍの通信インタフェースＭ１３は、イベントの分類別の生体データの傾向を表す情報を受信し、出力装置Ｍ１５は、イベントの分類別の生体データの傾向を表す情報に基づく画像を表示する。
【０１１５】
［作用・効果］
以上説明したように、本実施形態では、情報処理装置１は、スケジュールデータに含まれるイベントに基づく生体データの測定に関する支援信号の出力により、イベントの開始日時などの状況に応じた生体データの測定を支援することができる。これにより、イベントに応じた生体データの測定の漏れを軽減することができる。また、支援信号の出力に基づき取得される生体データとイベントとを関連付けた生体関連データの出力により、イベント別の生体データを提供することができる。これにより、イベントに応じた生体データを通知することができる。つまり、被測定者等は、どのようなイベントでどのような生体データが測定されたかを簡単に知ることができる。
【０１１６】
§４  変形例
以上、本発明の実施の形態を詳細に説明してきたが、前述までの説明はあらゆる点において本発明の例示に過ぎない。本発明の範囲を逸脱することなく種々の改良や変形を行うことができることは言うまでもない。
【０１１７】
例えば、本実施形態では、測定部１０３３は、スケジュールデータ管理部１０３２からの支援信号を受けて、支援信号に含まれる測定トリガー信号に基づき生体を測定するケースについて説明したが、これに限定されるものではない。例えば、支援信号が、測定トリガー信号を含まず、生体データの測定の推奨のタイミングであることを案内する測定タイミングの案内信号を含むようにしてもよい。表示部１０１は、支援信号に含まれる測定タイミングの案内信号に基づき、生体データの測定の推奨のタイミングであることの案内画像を表示する。例えば、表示部１０１は、「イベントＥ１の開始時刻です。血圧測定をお薦めします。」などの案内画像を表示する。この案内を見た被測定者が、生体データの測定を実行したい場合には、操作部１０２から生体データの測定の実行を指示する操作入力を行う。操作部１０２は、生体データの測定の実行を指示する操作入力を受付けた場合に、測定部１０３３に対して生体データの測定の実行を指示する。測定部１０３３は、生体データの測定の実行の指示に基づき生体データの測定を開始し、生体データを取得し、生体データを生体関連データ管理部１０３４へ出力する。生体関連データ管理部１０３４は、測定部１０３３から出力される生体データ、及びスケジュールデータ管理部１０３２から出力されるイベントを受けて、生体データとイベントとを関連付けて管理する。これにより、イベントの発生に応じてユーザの意志で生体データの測定を実行することができ、しかも、イベントの発生に応じた生体データの測定の操作忘れを低減できる。
【０１１８】
また、本実施形態では、情報処理装置１のスケジュールデータ管理部１０３２がスケジュールデータに含まれるイベントを検出し、イベントに含まれる開始日時に基づき支援信号を出力し、また、イベントを出力するケースについて説明したが、これに限定されるものではない。例えば、情報通信端末Ｍのスケジュールデータ管理部Ｍ１１１が、情報処理装置１のスケジュールデータ管理部１０３２と同様の機能を備えてもよい。つまり、スケジュールデータ管理部Ｍ１１１が、スケジュールデータに含まれるイベントを検出し、イベントに含まれる開始日時に基づき支援信号を出力し、また、検出したイベントを出力するようにしてもよい。これにより、情報通信端末Ｍの通信インタフェースＭ１３が、支援信号及びイベントを情報処理装置１へ送信し、情報処理装置１の通信部１０８が、支援信号及びイベントを受信する。表示部１０１は、情報通信端末Ｍからの支援信号に含まれる測定案内信号に基づき案内を表示し、測定部１０３３は、情報通信端末Ｍからの支援信号に含まれる測定トリガー信号に基づき生体データを測定し、生体関連データ管理部１０３４は、測定部１０３３から出力される生体データ、及び情報通信端末Ｍからのイベントを受けて、生体データとイベントとを関連付けた生体関連データを管理する。或いは、サーバＭが、情報通信端末Ｍから送信されるスケジュールデータを管理し、情報処理装置１に対して支援信号及びイベントを送信するようにしてもよい。
【０１１９】
また、イベントの分類別に生体データの測定の対象と非対象とを区別するようにしてもよい。例えば、被測定者が、操作部１０２を介して、分類Ｃ１を測定対象に指定し、分類Ｃ２を測定非対象に指定する。スケジュールデータ管理部１０３２は、指定に基づき、分類Ｃ１のイベントに基づき支援信号を出力し、分類Ｃ２のイベントに基づき支援信号を出力しない。これにより、被測定者の意志を反映したイベントの分類別の生体データの測定が可能となる。
【０１２０】
§５  付記  
上記各実施形態の一部または全部は、特許請求の範囲のほか以下の付記に示すように記載することも可能であるが、これに限られない。
（付記１）  
メモリと、
前記メモリに接続されたプロセッサと、
を備え、
前記プロセッサは、
スケジュールデータに含まれるイベントに基づき生体データの測定に関する支援信号を出力する支援信号出力部と、
前記支援信号の出力に基づいて取得される生体データと前記イベントとを関連付けた生体関連データを管理する生体関連データ管理部と、
前記生体関連データを出力する生体関連データ出力部と、
として機能するように構成される情報処理装置。
【０１２１】
（付記２）  
少なくとも１つのプロセッサを用いて、スケジュールデータに含まれるイベントに基づき生体データの測定に関する支援信号を出力する支援信号出力過程と、
少なくとも１つのプロセッサを用いて、前記支援信号の出力に基づいて取得される生体データと前記イベントとを関連付けた生体関連データを管理する生体関連データ管理過程と、
少なくとも１つのプロセッサを用いて、前記生体関連データを出力する生体関連データ出力過程と、
を備える情報処理方法。
【符号の説明】
【０１２２】
１…情報処理装置
１０…本体
１０Ａ…ケース
１０Ｂ…ガラス
１０Ｃ…裏蓋
１２…記憶部
２０…ベルト
３０…カフ構造体
３０ａ…一端
３０ｂ…他端
３０ｃ…内周面
９０…左手首
９０ａ…動脈通過部分
９１…橈骨動脈
９２…尺骨動脈
９３…橈骨
９４…尺骨
９５…腱
１０１…表示部
１０２…操作部
１０３…制御部
１０４…記憶部
１０５…加速度センサ
１０６…温湿度センサ
１０７…気圧センサ
１０８…通信部
１０９…受信機
１０９…（Ｇｌｏｂａｌ  Ｐｏｓｉｔｉｏｎｉｎｇ  Ｓｙｓｔｅｍ）受信機
１１０…電池
１１１…第１圧力センサ
１１２…第２圧力センサ
１１３…ポンプ駆動回路
１１４…ポンプ
１１５…開閉弁
２０１…第１ベルト部
２０１ａ…根元部
２０１ｂ…先端部
２０２…第２ベルト部
２０２ａ…根元部
２０２ｂ…先端部
２０２ｃ…小穴
２０３…尾錠
２０３Ａ…枠状体
２０３Ｂ…棒
２０３Ｃ…連結棒
２０４…ベルト保持部
３０１…カーラ
３０２…押圧カフ
３０３…背板
３０４…センシングカフ
３０４Ａ…第１のシート
３０４Ｂ…第２のシート
４０１…連結棒
４０２…連結棒
５０１…可撓性チューブ
５０２…可撓性チューブ
５０３…第１の流路形成部材
５０４…第２の流路形成部材
１０３１…スケジュールデータ取得部
１０３２…スケジュールデータ管理部
１０３３…測定部
１０３４…生体関連データ管理部
１０３５…生体関連データ入出力部
Ｍ…情報通信装置
Ｍ１１…制御部
Ｍ１２…記憶部
Ｍ１３…通信インタフェース
Ｍ１４…入力装置
Ｍ１５…出力装置
Ｍ１６…外部インタフェース
Ｍ１１１…スケジュールデータ管理部
Ｍ１１２…生体関連データ管理部
【図１】
2019115505.tif 000003
【図２】
2019115505.tif 000004
【図３】
2019115505.tif 000005
【図４】
2019115505.tif 000006
【図５】
2019115505.tif 000007
【図６】
2019115505.tif 000008
【図７】
2019115505.tif 000009
【図８】
2019115505.tif 000010
【図９】
2019115505.tif 000011
【図１０】
2019115505.tif 000012
【図１１】
2019115505.tif 000013
【図１２】
2019115505.tif 000014